【手続補正書】
【提出日】平成26年6月27日(2014.6.27)
【手続補正１】
【補正対象書類名】特許請求の範囲
【補正対象項目名】全文
【補正方法】変更
【補正の内容】
【特許請求の範囲】
【請求項１】
患者の脈管構造を通じて、前記患者内の搬送場所へ、搬送可能な器具の腔内搬送を行うためのシステムであって、
先端部分を含んだ外側搬送鞘であって、少なくとも一部が前記患者の前記脈管構造に挿入される大きさである外側搬送鞘と、
カテーテルシャフトの先端部に位置する運搬セグメントであって、前記外側搬送鞘の前記先端部分内において前記搬送可能な器具を一時的に保持する大きさの外面を有し、前記カテーテルシャフトの少なくとも一部が前記外側搬送鞘内において前記外側搬送鞘と同軸に位置する運搬セグメントと、
前記外側搬送鞘と同軸に位置する搬送セグメントであって、前記搬送可能な器具が前記外側搬送鞘の前記先端部分内に存在するときに、前記搬送可能な器具が前記運搬セグメントから引き離された後、前記搬送可能な器具内に半径方向に適合する大きさの外面を有し、前記搬送場所において、前記搬送可能な器具に適合するように構成された搬送セグメントと、
を備えることを特徴とするシステム。
【請求項２】
前記外側搬送鞘の前記先端部分の少なくとも一部は、膨張可能であることを特徴とする請求項１に記載のシステム。
【請求項３】
前記外側搬送鞘の前記先端部分の少なくとも一部は、１または複数の電気的活性素子を備えることを特徴とする請求項２に記載のシステム。
【請求項４】
前記外側搬送鞘の前記先端部分の少なくとも一部は、１または複数の圧電セラミック素子を備えることを特徴とする請求項２に記載のシステム。
【請求項５】
前記外側搬送鞘の前記先端部分の少なくとも一部は、前記運搬セグメントおよび前記搬送セグメントの少なくとも１つによって与えられた、外側への半径方向力によって、受動的に膨張可能な素材を備えることを特徴とする請求項２に記載のシステム。
【請求項６】
前記外側搬送鞘の前記先端部分の少なくとも一部は、前記先端部分の少なくとも一部に対する張力を利用して膨張することを特徴とする請求項２に記載のシステム。
【請求項７】
前記先端部分は、前記先端部分の内面から半径方向に内側に延伸する、内部突起および狭窄部の少なくとも１つを含んでいることを特徴とする請求項１に記載のシステム。
【請求項８】
前記外側搬送鞘の内面の一部は、前記外側搬送鞘または前記外側搬送鞘と同軸の構造物の少なくとも１部を選択的に操作するように構成された縦方向に伸張する要素の、少なくとも１部を保持するためのガイドをさらに備える
ことを特徴とする請求項１に記載のシステム。
【請求項９】
前記外側搬送鞘の内面の一部は、ガイドをさらに備えており、
前記ガイドは、（ａ）ルーメンおよび（ｂ）グロメットの少なくとも１つを備えており、
前記ガイドは、前記搬送可能な器具の選択的な保持のための、少なくとも１つの制御ラインを保持する
ことを特徴とする請求項１に記載のシステム。
【請求項１０】
前記運搬セグメントおよび前記搬送セグメントは、両方とも前記カテーテルシャフト上に位置していることを特徴とする請求項１に記載のシステム。
【請求項１１】
前記運搬セグメントは前記カテーテルシャフト上に位置しており、前記搬送セグメントは、前記カテーテルシャフトと同軸である搬送セグメントシャフトであって、前記カテーテルシャフトに対して軸方向に移動可能な搬送セグメントシャフトに付随することを特徴とする請求項１に記載のシステム。
【請求項１２】
前記運搬セグメントは、前記搬送セグメントのために膨張された直径よりも小さい膨張された直径を有する膨張可能なバルーンであることを特徴とする請求項１に記載のシステム。
【請求項１３】
前記搬送セグメントは、前記運搬セグメントのために拡張された直径よりも大きい拡張された直径を有する膨張可能なバルーンであることを特徴とする請求項１に記載のシステム。
【請求項１４】
前記運搬セグメントおよび前記搬送セグメントの少なくとも１つは、マンドレルであることを特徴とする請求項１に記載のシステム。
【請求項１５】
前記マンドレルは、機械的または電気機械的手段によって、膨張可能であることを特徴とする請求項１４に記載のシステム。
【請求項１６】
前記マンドレルは膨張不可能であることを特徴とする請求項１４に記載のシステム。
【請求項１７】
前記搬送セグメントは、軸方向において前記運搬セグメントに近接して位置することを特徴とする請求項１に記載のシステム。
【請求項１８】
前記搬送セグメントは、軸方向において前記運搬セグメントの遠位に位置することを特徴とする請求項１に記載のシステム。
【請求項１９】
前記搬送セグメントは、当該搬送セグメントにおける前記搬送可能な器具の捕捉および保持を助けるための磁石を含むことを特徴とする請求項１に記載のシステム。
【請求項２０】
患者内の搬送場所への搬送可能な器具の血管内注入搬送のためのアセンブリであって、
第１のカテーテルシャフトを含んでいる第１のカテーテルと、
前記第１のカテーテルシャフトに沿って位置する運搬セグメントであって、前記患者内へ前記第１のカテーテルが挿入される前に前記搬送可能な器具を受け取るように構成された運搬セグメントと、
運搬セグメントと関連する軸方向に連続して位置された搬送セグメントであって、前記搬送可能な器具が前記第１のカテーテルの少なくとも一部に対して同軸である間、前記患者内の前記搬送可能な器具に組み合うように構成され、その後、前記搬送場所において前記搬送可能な器具を配置するように構成された搬送セグメントと、
を備えることを特徴とするアセンブリ。
【請求項２１】
前記搬送セグメントもまた、前記第１のカテーテルに沿って位置されたことを特徴とする請求項２０に記載のアセンブリ。
【請求項２２】
前記搬送セグメントは、第２のカテーテルに沿って位置され、前記第２のカテーテルは、前記第１のカテーテルを貫通する同軸ルーメンを有することを特徴とする請求項２０に記載のアセンブリ。
【請求項２３】
前記第１のカテーテルおよび前記第２のカテーテルの少なくも１つは、湾曲した先端部
分を備えることを特徴とする請求項２２に記載のアセンブリ。
【請求項２４】
前記運搬セグメントは、膨張可能なバルーンであることを特徴とする請求項２０に記載のアセンブリ。
【請求項２５】
前記運搬セグメントは、マンドレルであることを特徴とする請求項２０に記載のアセンブリ。
【請求項２６】
前記マンドレルは、機械的または電気機械的手段によって、膨張可能であることを特徴とする請求項２５に記載のアセンブリ。
【請求項２７】
前記マンドレルは、膨張不可能であることを特徴とする請求項２５に記載のアセンブリ。
【請求項２８】
前記搬送セグメントは、膨張可能なバルーンであることを特徴とする請求項２０に記載のアセンブリ。
【請求項２９】
前記搬送セグメントは、マンドレルであることを特徴とする請求項２０に記載のアセンブリ。
【請求項３０】
前記マンドレルは、機械的または電気機械的手段によって、膨張可能であることを特徴とする請求項２９に記載のアセンブリ。
【請求項３１】
前記マンドレルは、膨張不可能であることを特徴とする請求項２９に記載のアセンブリ。
【請求項３２】
前記搬送セグメントは、当該搬送セグメントにおける前記搬送可能な器具の捕捉および保持を助けるための磁石を含むことを特徴とする請求項２０に記載のアセンブリ。
【請求項３３】
前記搬送セグメントは、当該搬送セグメントにおける前記搬送可能な器具の捕捉および保持を助けるための電磁石を含むことを特徴とする請求項２０に記載のアセンブリ。
【手続補正２】
【補正対象書類名】明細書
【補正対象項目名】発明の名称
【補正方法】変更
【補正の内容】
【発明の名称】血管内注入装置の腔内搬送のための装置